(57)【要約】【課題】  海水利用プラントの取水路や管路内への付着生物の流入状況を簡単に調査することができる付着生物観察容器及び該容器を洗浄するための観察容器洗浄方法を提供する。【解決手段】  発電所の復水器へ海水を送る復水系統（２１）への付着生物（３０）の流入状況を調査するための付着生物観察容器（１）は、少なくとも一部が透明に作られた容器本体（２）と、容器本体（２）内に付着生物（３０）を含む海水を導入する導入部（４）と、導入部（４）から容器本体（２）内に導入された海水を容器本体（２）外へ排出する排出部（６）とから成る。【選択図】  図１
2006271331.tif 000002
【特許請求の範囲】
【請求項１】
水中で岩肌や壁面等に付着する付着生物の生息状況を調査するための付着生物観察容器であって、
少なくとも一部が透明に作られた容器本体と、
該容器本体内に前記付着生物を含む水を導入する導入部と、
該導入部から前記容器本体内に導入された水を前記容器本体外へ排出する排出部と
から成ることを特徴とする付着生物観察容器。
【請求項２】
請求項１記載の付着生物観察容器において、前記容器本体には、透明に作られた部分のうち前記容器本体の内側に現れる面に凹凸が設けられていることを特徴とする付着生物観察容器。
【請求項３】
請求項２記載の付着生物観察容器において、前記凹凸は、前記内側に現れる面に、前記容器本体内を流れる水の方向に略垂直な向きで細長い板状部材を取り付けることにより、又は一体形成により設けられることを特徴とする付着生物観察容器。
【請求項４】
請求項１乃至３のいずれか記載の付着生物観察容器において、前記容器本体には、透明に作られた部分のうち前記容器本体の内側に現れる面に、予め前記付着生物が付着し、前記付着生物で作ったペーストが塗られ、又は前記付着生物から抽出した液体が塗られていることを特徴とする付着生物観察容器。
【請求項５】
請求項１乃至４のいずれか記載の付着生物観察容器において、前記導入部と排出部は、各々円筒状の管から成り、互いに対向して容器内に連通するように設けられていることを特徴とする付着生物観察容器。
【請求項６】
請求項１乃至５のいずれか記載の付着生物観察容器において、前記付着生物は、フジツボ又はイガイであることを特徴とする付着生物観察容器。
【請求項７】
請求項１乃至６のいずれか記載の付着生物観察容器において、前記付着生物を含む水は、発電所その他の水を利用するプラントで取水された水であることを特徴とする付着生物観察容器。
【請求項８】
請求項１乃至７のいずれか記載の付着生物観察容器を洗浄するための観察容器洗浄方法であって、前記容器本体内に前記付着生物が付着したとき、前記導入部から酸性の液体を導入することを特徴とする観察容器洗浄方法。
【請求項９】
請求項８記載の観察容器洗浄方法において、前記液体は、塩酸であることを特徴とする観察容器洗浄方法。
【発明の詳細な説明】
【技術分野】
【０００１】
水中で岩肌や壁面等に付着して生息するフジツボやイガイ等の付着生物の生息状況を調査する技術に関する。更に詳細には、水が流れる取水路や管路内への付着生物の流入量を調査する技術に関する。
【背景技術】
【０００２】
一般に、火力発電所や原子力発電所には、タービンを駆動するのに使用した蒸気を冷やすため、蒸気と海水との間で熱交換を行わせる復水器が備えられている。このように、復水器は海水を使用するため、復水器へ海水を送る取水路や配管の内面には、通常は海水中で岩肌や壁面等に付着して生息するフジツボやイガイ等の生物（以下、「付着生物」という。）が取水口から流入して付着する。これらの付着生物は、幼生の段階で取水路に流入し、離脱と付着を繰り返しながら水中を浮遊して、やがて取水路や配管内に定着して成体になる。
【０００３】
一般に、復水器用の取水路や配管は、付着生物が付着することを想定し、付着代と呼ばれるあそびを持たせて大きく作られているが、取水路や配管の内面に付着した付着生物を放置すると、水路や配管が詰まり、プラントを稼動できなくなったり、定期検査時の洗浄作業の際に大量の廃棄物が出ることになる。
【０００４】
従来、付着生物への対策としては、(１)化学薬品（例えば、塩素の水溶液、塩酸、過酸化水素製剤、硫酸第一鉄、銅イオン等）の注入、(２)清掃ロボットによる清掃、(３)スポンジ状の球体を配管内に流すスポンジボール洗浄、(４)付着を抑制する塗料（例えば、防汚塗料など）の配管内面への塗布、(５)人手による清掃等が行われている。これら各種対策のうち、(１)化学薬品の注入、(２)清掃ロボットによる清掃、及び(３)スポンジボール洗浄については、プラント稼動中（通水中）に行うことができるという利点があり、発電所等のように海水を利用するプラント（以下「海水利用プラント」という。）の多くで行われている。
【０００５】
付着生物の成長過程をみると、フジツボは、親の体内から孵出した状態では、水中を浮遊するいわゆるノープリウス幼生であり、６回脱皮した後に、岩肌等に付着するキプリス幼生へと変態する。キプリス幼生は、岩肌等の付着面との相性を探りながら付着と離脱を繰り返し、やがて定着する場所を決めて固着して成体になる。また、イガイの一種であるムラサキイガイは、卵から孵化してトロコフォア幼生（クロコフォラ幼生ともいう）となり、ベリジャー幼生、Ｄ型幼生、ウンボ期幼生の順に変態し、岩肌等に付着するペディベリジャー幼生になる。ペディベリジャー幼生は、岩肌等に付着した状態で稚貝となり、やがて成体になる。
【０００６】
上記のとおり、付着生物は、幼生の段階で岩肌や壁面等に付着することがわかっており、発電所等の海水利用プラントでは、上記各種対策を効果的に行うため、取水した海水における付着生物の流入状況を調べ、前述の各種対策を行うか否かを判断しているところもある。
【０００７】
従来、前述の各種対策を行うべきか否かの判断は、プランクトン及びその他の生物を捕捉可能なプランクトンネットで所定量の海水をろ過し、この際捕捉された付着生物の個体数と通水した海水の量とに基づいて行われる。或いは、励起光（例えば、紫外線）を照射すると体内の特定の部分が蛍光するフジツボのキプリス幼生の特性を利用し、下記特許文献１のように、所定量の海水から採取した各種フジツボのキプリス幼生に対して励起光（例えば、紫外線）を照射して得た各個体の蛍光分布パターンを、各種固有の蛍光分布パターンと比較してフジツボの種を特定し、単位容積の海水に含まれるその種の個体数に基づいて判断する。
【０００８】
【特許文献１】特開２００３−３０４７９６号公報
【発明の開示】
【発明が解決しようとする課題】
【０００９】
しかしながら、上記文献の技術は、２００以上あるフジツボの種のうち捕捉した任意のフジツボの種を特定できる高度な技術であるが、海水利用プラントでは、前述の各種対策を行う時期を判断するためには、付着生物の種まで特定する必要がない場合もある。即ち、海水利用プラントでは、取水路や配管の内面に付着する全ての付着生物をひとまとめにして、プラントの操業に支障を来たす生物としてその流入状況を把握できれば、対策の必要性を判断できる。そこで、多くの海水利用プラントでは、上記のような高度な知識や技術を要することなく、取水路や管路内への付着生物の流入状況を調査できる簡易な方法が望ましい。
【００１０】
本発明は、上記の事情に鑑み、取水路や管路内への付着生物の流入状況を簡単に調査することができる付着生物観察容器及び該容器を洗浄するための観察容器洗浄方法を提供することを目的とする。
【課題を解決するための手段】
【００１１】
本発明の付着生物観察容器は、水中で岩肌や壁面等に付着する付着生物の生息状況を調査するための容器であって、少なくとも一部が透明に作られた容器本体と、該容器本体内に前記付着生物を含む水を導入する導入部と、該導入部から前記容器本体内に導入された水を前記容器本体外へ排出する排出部とから成ることを特徴とする。
【００１２】
本発明の具体的態様では、前記容器本体には、透明に作られた部分のうち前記容器本体の内側に現れる面に凹凸が設けられている。この場合、凹凸は、前記内側に現れる面に、前記容器本体内を流れる水の方向に略垂直な向きで細長い板状部材を取り付けることにより、又は一体形成により設けられる。
【００１３】
本発明の実態形態では、前記容器本体には、透明に作られた部分のうち前記容器本体の内側に現れる面に、予め前記付着生物が付着し、前記付着生物で作ったペーストが塗られ、又は前記付着生物から抽出した液体が塗られている。
【００１４】
また、前記導入部と排出部は、各々円筒状の管から成り、互いに対向して容器内に連通するように設けることができる。
【００１５】
前記付着生物は、例えば、フジツボ又はイガイである。
【００１６】
本発明の実施形態では、前記付着生物を含む水は、発電所その他の水を利用するプラントで取水された水である。
【００１７】
本発明の観察容器洗浄方法は、付着生物観察容器を洗浄するための方法であって、前記容器本体内に前記付着生物が付着したとき、前記導入部から酸性の液体を導入することを特徴とする。
【００１８】
上記方法の具体的態様では、前記液体は、塩酸である。
【発明の効果】
【００１９】
本発明の付着生物観察容器によれば、容器本体の少なくとも一部が透明に作られているため、水と共に容器本体内に導入されてその内面に付着した付着生物（例えば、後述のタテジマフジツボ３０）を外側から見ることができ、導入した水における付着生物の生息状況（単位時間当たりの付着した個体数やその変化率など）を簡単に調べることができる。
【００２０】
また、容器本体には、透明に作られた部分のうち容器本体の内側に現れる面に凹凸を設けたことにより、その部分に付着する付着生物の個体数が、凹凸を設けない場合と比較して格段に多くなる。これにより、付着した付着生物を見逃すことなく確実に把握できる。この場合、凹凸は、上記内側に現れる面に、容器本体内を流れる水の方向に略垂直な向きで細長い板状部材を取り付けることにより、又は一体形成により設けることができる。
【００２１】
或いは、容器本体には、透明に作られた部分のうち容器本体の内側に現れる面に、予め防除対象となる付着生物（例えば、タテジマフジツボ３０）を付着させておいたり、防除対象となる付着生物で作ったペースト又は同付着生物から抽出した液体を塗っておくことによっても、その部分への付着生物の付着を促すことができる。
【００２２】
容器本体に設けられる導入部と排出部は、各々円筒状の管から成り、互いに対向して容器内に連通させることにより、容器本体内の水の流れがスムーズになり、容器本体の底部に砂が堆積するのを防止できる。
【００２３】
生息状況の調査対象となる付着生物は、例えば、フジツボ又はイガイである。
【００２４】
発電所その他の水を利用するプラントで取水された水における付着生物の生息状況、即ち取水した水への付着生物の流入状況（付着生物の密度など）等を調査することにより、取水路や配管に対して行う薬品注入やスポンジボール洗浄等の各種対策の効果的な実施時期を簡単に判断することができる。
【００２５】
本発明の観察容器洗浄方法によれば、容器本体内に酸性の液体を導入することにより、容器本体内に付着した付着生物を除去することができる。具体的には、付着生物は、付着する際にタンパク質を主成分とする接着剤（セメント質のもの）を出し、これが固まることにより付着するが、酸性の液体を流すことによって、その接着剤が変性するため、付着生物を除去することができる。この際、炭酸カルシウムを主成分とする付着生物の殻も、酸によって部分的に溶解する。この場合、塩酸を使用することができる。
【発明を実施するための最良の形態】
【００２６】
図１は、実施例の付着生物観察容器１の斜視図で、図２は、付着生物観察容器１のＡ−Ａ線断面図である。
【００２７】
この付着生物観察容器１は、海水中で岩肌や壁面等に付着するフジツボやイガイ等の付着生物の生息状況を調査するための容器であり、
少なくとも一部が透明であればよいが、図示の例では全体的に透明に作られた容器本体２と、
容器本体２内に付着生物を含む海水を導入する導入部４と、
導入部４から容器本体２内に導入された海水を容器本体２外へ排出する排出部６と
で構成されている。
【００２８】
容器本体２は、複数のアクリル板７を箱形に組み合わせて作られており、全体的に透明になっている。また、容器本体２の上面に位置するアクリル板７は、中央部をくり貫いて矩形環状に形成され、取り外しできるようにガラス板８とともにネジ１０で固定されている。これにより、容器本体２の上面は、矩形環状のアクリル板７の中央部にガラス板８が位置することになり、一層透明度が高められている。
【００２９】
更に、容器本体２には、導入部４から海水を導入したとき、容器本体２の内面に一層多くの付着生物を付着させるため、次のような処理が施されている。
【００３０】
まず、容器本体２の透明に作られた部分（実施例ではガラス板８）のうち容器本体２の内側に現れる面には、容器本体２内を流れる海水の方向に略垂直な向きでアクリル樹脂等で作られた細長い板状部材１２を複数取り付ける（例えば、接着で）ことにより、又は一体形成により凹凸がつけられている。また、ガラス板８と板状部材１２によって作られる凹凸のうち、特に凹部には、付着生物（例えば、フジツボ）をすり潰して作ったペースト１３が塗られている。
【００３１】
容器本体２の内面に上記の処理を施すことにより、付着生物を含む海水を所定時間（例えば、１時間）導入したとき、上記の処理を施さない場合と比較して、処理を施した部位に付着する付着生物の個体数が格段に増加（例えば、０〜２匹から数十匹に増加）する。これにより、容器本体２の内面に付着した付着生物の個体数が少ない（例えば、１〜２匹）場合には、それらを見逃すおそれもあるが、格段に多くの付着生物を付着させることにより、導入した海水中における付着生物の生息状況（付着生物の個体数やその継時変化など）を確実に把握することができる。
【００３２】
上記のように容器本体２の内面に凹凸をつけた場合に、その部分に付着する付着生物の個体数が増加する理由としては、例えば、導入部４から導入される海水の一部が、各板状部材１２の間にできる凹部で付着生物とともに滞留することにより、付着生物の幼生が付着に要する時間を充分に確保できたことが挙げられる。
【００３３】
また、付着生物で作ったペースト１３をガラス板８に塗った場合に、付着する付着生物の個体数が増加する理由としては、次のことが考えられる。付着生物は、基盤に固着して生活することから、容易に生息場所を移動できないため、周囲に同じ種の付着生物が存在しない場所に付着すると、繁殖行動を行うことができないおそれがある。つまり、付着生物にとっては、幼生の段階での付着場所の選定は死活問題といえる。また、幼生と同じ種の成体が付着している場所は、いわば生き残り実績のある場所であり、将来繁殖行動を行う相手が近くに存在するという意味でも好適な場所だといえる。更に、フジツボ類の場合、成体が同じ種の幼生の付着を誘引する物質を分泌することが知られており、例えば、特開平８−８１４９６号公報では、タテジマフジツボ成体が分泌する幼生付着誘引物質を特定している。以上より、調査の際に付着生物を付着させたい場所であるガラス板８の裏面側にペースト１３を塗ることにより、容器本体２内を流れる付着生物幼生には、同種付着生物成体の近くに付着しようとする本能が働くと考えられる。
【００３４】
また、導入部４と排出部６は、いずれも容器本体２に接続される円筒形の管であり、互いに対向するように容器本体２の両側にそれぞれ取り付けられている。また、導入部４と排出部６のそれぞれの端部には、図２に示すように、外周に沿って溝１５が設けられている。これにより、導入部４と排出部６に、これらの外径より若干内径の小さい樹脂（例えば、ゴムや塩化ビニールなど）等で作られた管１７，１８をそれぞれ嵌め込むと、導入部４と管１７、及び排出部６と管１８が、互いに簡単に抜けることなく一体に連結される。
【００３５】
図３は、実施例の付着生物観察容器２を用いて構成される付着生物調査システム２０を示す。
【００３６】
付着生物調査システム２０は、海水を利用するプラント（例えば、発電所）で取水した海水における付着生物の生息状況（流入状況）を調査するため、例えば、取水した海水を海水利用設備（例えば、復水器）へ送る復水系統２１から調査用系統２２を分岐させ、この調査用系統２２上に設けることができる。
【００３７】
具体的には、付着生物調査システム２０は、
調査用系統２２を流れる海水を調査することにより、復水系統２１における付着生物の流入状況を把握するための付着生物観察容器１と、
調査用系統２２上で付着生物観察容器１と並列に接続され、付着生物観察容器１の内面に付着した付着生物を死滅させて除去するため、付着生物観察容器１内に塩酸溶液（例えば、塩酸濃度３０％）を循環させる洗浄液循環手段２４と
を備えている。
【００３８】
洗浄液循環手段２４は、
塩酸溶液を貯留する洗浄液貯留タンク２６と、
塩酸溶液を送り出すポンプ２７と
で構成されている。
【００３９】
また、調査用系統２２には、経路を開閉する複数のバルブ２８ａ，２８ｂ，２８ｃ，２８ｄが設けられており、例えば、洗浄液貯留タンク２６の直前及び直後に設けたバルブ２８ｂ，２８ｃを閉じることにより、復水系統２１側から分岐した海水が付着生物観察容器１内を流れて排出される。これとは逆に、バルブ２８ａ，２８ｄを閉じることにより、復水系統２１側からの海水は遮断されるとともに、洗浄液貯留タンク２６の前後のバルブ２８ｂ，２８ｃを開いてポンプ２７ｂを作動させれば、付着生物観察容器１と洗浄液貯留タンク２６との間を塩酸溶液が循環する。
【００４０】
図４は、実施例の付着生物観察容器１を用いる付着生物調査システム（図３）の使用方法、即ち付着生物調査方法のフローチャートを示す。
【００４１】
復水系統２１を流れる海水における付着生物の流入状況を調べるには、まず、調査用系統２２の最も上流側に設けたバルブ２８ａと、最も下流側に設けたバルブ２８ｄを開いて、付着生物観察容器１内に海水を導入し（ＳＴ１）、調査時期に至ったか否か、即ち海水導入から所定時間（例えば、１時間）を経過したか否かを判別する（ＳＴ２）。調査時期に至るまでは、所定の時間が経過するまで待機する。
【００４２】
ＳＴ２の判別が“ＹＥＳ”、即ち海水導入から予め決めた所定時間が経過して調査時期に至ったときは、付着生物の流入状況を調べる（ＳＴ３）。具体的には、図５のように付着生物観察容器１を上から見て、容器の内側でガラス板８に付着した付着生物（例えば、タテジマフジツボ）３０の個体数及びその位置を記録しておく。この際、付着生物の種は必ずしも特定する必要はないが、フジツボ類とイガイ類等の違いまで把握できた場合には、併せて記録しておくのがよい。
【００４３】
また、付着生物観察容器１のガラス板８は、付着生物で作ったペースト１３が塗られているため（図２参照）、付着生物観察容器１を上から見た場合、内側の様子が若干見え難くなっているが、付着生物３０はガラス板８に直接付着すること、及び付着生物３０が白色であることから、図のように、付着生物３０の底部をハッキリと視認できる。更に、付着生物観察容器１を、上部を開口した箱に入れた状態で、又は濃色（例えば、黒や青など）の板の上に置いた状態で見ることにより、付着生物３０の白色が際立ち、付着状況を一層確実に把握することができる。
【００４４】
次に、付着生物の流入状況に基づいて、復水系統２１に対して付着生物に対する対策を講じる必要があるか否かを判断する（ＳＴ４）。
【００４５】
この対策には、例えば、
(１)化学薬品（例えば、塩素の水溶液、塩酸、過酸化水素製剤、硫酸第一鉄、銅イオン等）の注入、
(２)清掃ロボットによる清掃、
(３)スポンジ状の球体を配管内に流すスポンジボール洗浄、
(４)付着生物の付着を抑制する塗料（例えば、有機スズ系塗料）の配管内面への塗布、
(５)人手による清掃
などがあり、上記（１）〜（３）については、プラント稼動中でも行うことができる。
【００４６】
対策の必要性を判断する基準の例を以下に示す。
【００４７】
（ａ）海水導入後に付着生物の流入状況を初めて調べた場合（第１回目のＳＴ３）において、所定の時間経過後（調査時期）にガラス板８に付着した付着生物の個体数を基準にすることができる。この場合、単に所定の時間経過後の付着生物の個体数を見ただけでは対策の必要性を判断できないので、過去の実績や実験結果（具体的には、付着生物観察容器１における所定の時間経過後の付着生物の個体数と、その後復水系統２１内に実際に付着した個体数との関係等）も考慮して判断するのがよい。或いは、後述のように、流入状況の調査（ＳＴ３）は、繰り返し行うため、各調査（ＳＴ３）時期における個体数の差や変化率等も基準とすることができる。
【００４８】
（ｂ）過去に周知の調査方法で求めた付着生物の流入量の変化率とその調査時に対策が必要であったか否かを記録したデータを基準にすることができる。そして、最新の調査（ＳＴ３）の結果（例えば、付着した個体数の変化率）を照らし合わせ、対策の必要性を判断することができる。
【００４９】
上記（ａ）、（ｂ）のほかにも、各プラントにおける諸事情を勘案して独自の判断基準を定めておき、これに従って判断することもできる。また、上記（ａ）、（ｂ）のいずれの方法においても、調査（ＳＴ３）の結果と対策の必要性とを関連付けた判断基準（例えば、テーブルや関係式など）を作成しておけば、その後の判断作業（ＳＴ４）が一層簡単になる。
【００５０】
そして、判断作業（ＳＴ４）の結果、何らかの対策が必要になった場合には、プラント稼動中に行うことのできる前述の（１）〜（３）の対策を講じるのがよい。
【００５１】
対策の必要性の判断（ＳＴ４）を行った後、観察容器洗浄方法を使用して付着生物観察容器１の内部を洗浄するか否かを判別する（ＳＴ５）。洗浄が必要な場合としては、付着生物観察容器１のガラス板８（図１）が付着生物で完全に覆われてしまった場合や、ガラス板８にその他の生物（例えば、ヒドロ虫など）が付着して視認性が悪化した場合などである。このほかにも、洗浄を行う時間間隔を予め決めておいてもよい。
【００５２】
実施例の観察容器洗浄方法について説明する。まず、ＳＴ５の判別が“ＹＥＳ”、即ち付着生物観察容器１の内部を洗浄する場合には、調査用系統２２の上流側のバルブ２８ａを閉めて海水の導入を停止し（ＳＴ６）、下流側のバルブ２８ｄも閉めておく。そして、洗浄液循環手段２４の前後に設けたバルブ２８ｂ，２８ｃを開けた後、ポンプ２７を作動させ、付着生物観察容器１と洗浄液貯留タンク２６との間で塩酸溶液を循環させることにより、付着生物観察容器１の内部を洗浄する（ＳＴ７）。洗浄時間は特に決まっておらず、容器本体２の内面に付着した付着生物（タテジマフジツボ３０など）やその他の生物等が完全に除去できるまで洗浄するのがよい。
【００５３】
付着生物観察容器１の内部を洗浄した後、又は洗浄しなかった場合（対策の必要性を判断した後）は、調査を終了するか否かを判別（ＳＴ８）し、終了する場合には、調査用系統２２側への海水の流入を遮断するため、バルブ２８ａをしっかりと閉じておく。一方、調査を継続する場合には、海水の導入を開始又は継続し（ＳＴ１）、上記ＳＴ２〜ＳＴ８の工程を繰り返す。
【００５４】
以上、実施例の付着生物観察容器１について説明したが、本発明はこれに限られず、例えば、調査用系統２２は、復水系統２１から分岐させるのではなく、海から直接取水してもよい。この場合、任意の海域で取水するよりも、できるだけ復水系統２１の取水口の近くで取水するのがよい。
【００５５】
実施例の付着生物観察容器１の容器本体２（図１及び図２）は、その上面がガラス板８で作られているが、このガラス板８を透明なアクリル板７に代えることも可能である。また、実施例では、容器本体２は、アクリル板７を組み合わせて作られているが、容器本体２の内部が視認できるように少なくとも一部が透明であれば、アクリル樹脂に限らず、その他の任意の材料で作ることができる。
【００５６】
また、実施例の付着生物観察容器１（図１及び図２）では、容器本体２の内面につけた凹凸は、ガラス板８の裏面（容器本体２の内側に現れる面）に板状部材１２を複数取り付けることによって形成されるが、容器本体２の上面に位置する部材を樹脂等で作られた平板に代えて、その平板の裏面（容器本体２の内側に現れる面）側の適宜の部分を削ることにより形成されるようにしてもよい。
【００５７】
更に、実施例では、各板状部材１２は、容器本体２（図５）の内側の幅（流水方向に対して垂直な方向の長さ）と同じ長さのものを取り付けたが、これより短くてもよいし、太さの異なるものを取り付けてもよい。即ち、海水を導入した際に容器本体２の内面に、ある程度の数の付着生物が付着できる凹部を確保できれば、任意の凹凸をつけることができる。
【００５８】
実施例の付着生物観察容器１の容器本体２（図１及び図２）は、上面を成すガラス板８以外の部分が透明なアクリル板７で作られているが、このアクリル板７に代えて、濃色（例えば、黒や青など）の板で作ることができる。前述のとおり、付着生物の底部（ガラス板８に付着する部分）は白色であり、付着生物観察容器１をガラス板８の上から見た時に付着生物の背景となる部分（ここでは容器本体２のガラス板８以外の部分）を濃色にすることにより、白色の付着生物を一層際立たせることができ、付着状況を確実に把握することができる。
【００５９】
実施例では、容器本体２の内側の面（ガラス板８）に付着生物で作ったペースト１３を塗ることで、ガラス板８に付着する付着生物の数が増加するという効果を得ているが、このほかに、付着生物から抽出した液体をガラス板８に塗ることにより同様の効果を奏することもできる。この液体は、具体的には、付着生物をすり鉢等ですり潰し、これを布等で包んで搾り出した（例えば、濾過した）液体である。この液体は、通常は透明であり、ガラス板８に塗っても透明度を維持することができるため、フジツボ類以外の付着生物（例えば、体から糸を出して付着するイガイ類やヒドロ虫など）も確実に視認することができる。更に、容器本体２の内側の面（ガラス板８）に予め付着生物（幼生又は成体のいずれでもよい）を付着させておいてもよい。この場合、調査を開始する前に、付着生物観察容器１の導入部４から海水を導入しておき、或いは容器本体２の上面（例えば、ガラス板８）を海水中に浸しておき、付着生物が付着したのを確認してから調査を開始すればよい。
【００６０】
実施例において容器本体２の内面に塗ったペースト１３は、着色料を混ぜて赤色、青色、又は黒色など、付着生物の底面の色（白色）以外の色に着色してもよい。これにより、付着生物が容器本体２の内面（ガラス板８）に付着したとき、付着生物の白色と周囲の濃色との間の明暗がはっきりするため、付着した付着生物を一層確実に視認できる。
【００６１】
また、実施例では、容器本体２の内面に付着した付着生物を除去するため、酸性の液体として３０％の塩酸溶液を循環させたが、この液体は、塩酸のほかにも、硫酸など、付着生物が分泌する接着タンパク質を変性させることができれば、任意の酸性の液体を使用することができる。具体的には、無機酸（塩酸，硫酸，硝酸，リン酸など）と有機酸（酢酸，乳酸，ベンゼンスルホン酸，フェノールなど）のいずれでもよく、適宜の濃度に調整して使用するのがよい。
【図面の簡単な説明】
【００６２】
【図１】実施例の付着生物観察容器の斜視図。
【図２】図１のＡ−Ａ線断面図。
【図３】付着生物観察容器を用いて構成される付着生物調査システムを示す図。
【図４】付着生物調査方法のフローチャート。
【図５】海水を送り込んだときの付着生物観察容器の平面図。
【符号の説明】
【００６３】
１…付着生物観察容器、２…容器本体、４…導入部、６…排出部、７…アクリル板、８…ガラス板、１０…ネジ、１２…板状部材、１３…ペースト、１５…溝、１７，１８…管、２０…付着生物調査システム、２１…復水系統、２２…調査用系統、２４…洗浄液循環手段、２６…洗浄液貯留タンク、２７…ポンプ、３０…タテジマフジツボ。
【図１】
2006271331.tif 000003
【図２】
2006271331.tif 000004
【図３】
2006271331.tif 000005
【図４】
2006271331.tif 000006
【図５】
2006271331.tif 000007